(57)【要約】      （修正有）【課題】本発明は、緊急時に誰でも簡単にお年寄り・目の不自由な歩行困難弱者等を搬送することが出来、手押し運搬車としても使用できる介助運搬車を提供する。【解決手段】手押し運搬車（１５）荷台を平らに成形し荷台に人が座れる椅子座席部（３）を脱着固定することにより、人の搬送が出来る介助運搬車である。災害等で緊急時にお年寄り・目の不自由な歩行困難弱者等の介助搬送を考えて発明されたものである。悪路や狭い道等においても手押し運搬車同様に小回りが利き体力の弱い女性の方々でも簡単に安全安心に搬送出来る手押し運搬車である。椅子座席部（３）を取り外した際もしくは、専用バケットを取り付けた際には普通の手押し運搬車としても使用できる。また、椅子は椅子座席部（３）と椅子足部を合体する事により椅子として利用する事が出来る介助運搬車。【選択図】図１
2019018834.tif 000002
【特許請求の範囲】
【請求項１】
椅子を運搬車に脱着固定出来る事を特徴として、椅子足部と椅子座席部を脱着可能な椅子に、脱着固定し得るダルマ穴とダルマ穴ピン及びロックピン穴とロックピンを設けた椅子と、この椅子にシートベルト及び跳ね上げ式足置きを設けた事を特徴として、運搬車の荷台枠上に椅子足部と同じ固定方法を設けて、運搬車の荷台枠上に椅子座席部を脱着固定を可能にしことを特徴とする介助運搬車。
【請求項２】
専用バケットは、底面の平らな面を多くし前後左右に斜めの面を有し農作物、草類、土砂等を運搬し得る、底部には水抜き穴と常時は栓を設ける事を特徴として、専用バケットの前部に専用バケット固定フックを設け、専用バケット後部に専用バケットボルト穴を設けて、前部には台車前保持枠に専用バケット固定フックを下より掛けて、台車後保持枠穴と専用バケット穴にボルトナットによる固定手段を設け、底部には専用バケット固定突起を設ける事により運搬車の荷台枠上に専用バケットを脱着固定を可能にしたことを特徴とする請求項１記載の介助運搬車。
【請求項３】
運搬車荷台枠の下部に独立した正逆転自在な車輪を設け、荷台の後部に設置スタンドを縦に設置し、荷台枠後方に手押しハンドルを設置し、荷台枠上に椅子座席部を脱着可能にして脱着固定し得るダルマ穴とロックピン穴及びダルマ穴ピンとロックピンにて固定部を設け、運搬車荷台前部に専用バケット固定フックを脱着できる台車前バケット保持枠を設け、後部には専用バケットボルト穴とボルトナット手段によって脱着可能な台車バケット保持枠を設け、手押し運搬車の荷台枠上に請求項１及び２項記載の椅子座席部と専用バケットを脱着固定を可能にしたことを特徴とする介助運搬車。
【発明の詳細な説明】
【技術分野】
【０００１】  本発明は、誰でも簡単に手押し運搬車荷台枠上に椅子を取り付ける事が出来て、災害時、緊急時等に人の搬送が出来る介助運搬車である。または、椅子を専用バケットに取り換える事が出来て農作業、草、土石類を搬送出来る介助運搬車に関するものである。
【背景技術】
【０００２】  台車枠上に多数の育苗箱を整理収納出来る育苗箱運搬車（特許文献１参照）。また、従来の猫車と言われる舟上皿を台車枠上に取り付ける事が出来る台車および猫車両用手押し車（特許文献２参照）は公知である。
【先行技術文献】
【０００３】
【特許文献１】特開平９−３０９４４０
【特許文献２】特開２００２−３２１９４０
【発明の概要】
【発明が解決しようとする課題】
【０００４】  そのためには次のような問題点があった。
（イ）育苗箱運搬車は育苗箱だけの運搬で農業関係の作業用でしかなかった。災害時、        緊急時等に人の搬送が出来なかった。
（ロ）猫車の舟状皿は、前部の傾斜と底面部とはほぼ同じ面積で底面が狭くなっている        構造である。底面部は狭く平らな荷物を置くには不便である。また、水がたまっ        た時の水抜き穴もなく、ボルト手段による手間のかかる脱着方法である。
（ハ）これらの運搬車の枠面上には、椅子及び専用バケットを簡単に脱着固定可能にす        るための手段が無かった。本発明は、これらの問題点を解決するためになされた        ものである。【０００５】  発明者は、これらの問題に着目して手押し運搬車の枠上に、椅子又は専用バケットを取り付ける事が出来る事で、通常時は専用バケットを取り付けて農作業及び土木作業に従事し野菜・草・土石の運搬に使用する。又は、色々な組織や町内会・学校行事の廃品回収・運動会・屋外運動クラブ等で利用する。そして、災害時及び緊急時等には、簡単に取り付けられる椅子を取り付けて、お年寄り・目の不自由な方・歩行困難な方々を町内会・地域防災組織・公共機関・学校の人々が協力して介助運搬出来るものである。その際この手押しタイプの運搬車は軽く運搬が可能であるので、子供や女性及びお年寄りでも簡単に運搬出来て非常に便利で社会参加・貢献・協力が出来るものである。【０００６】  本発明は、これらの問題点を解決するためになされたものである。
【課題を解決するための手段】  椅子足部と椅子座席部は、分離出来て脱着固定し得る結合具で構成されている。椅子足部には、ダルマ穴とロックピン穴を設け、椅子座席部にはダルマ穴ピンとロックピン穴が配置される。運搬車枠上に椅子足部と同じダルマ穴とロックピン穴を配置し椅子座席部を運搬車枠上に脱着固定をするものである。
通常ダルマ穴は、時計を掛ける時の穴及び金具・板・扉・ドア等のダルマ穴に一時的に引っ掛けておき、後でボルト等の締め付け手段を用いて固定するために用いる方法が主な使用方法である。ダルマ穴が付いた物品を固定する為にボルト等の締め付け及び引っ掛け手段を持ったボルト等に引っ掛けて固定する事である。その為にボルト等の頭は平ら及び丸くして、固定または引っ掛けられる物品面より突出しない方が接触及び引っ掛け事故を起こさない事により安全であると考えられて用いられている。
本発明は、椅子足部及び運搬車枠上に設けられたダルマ穴に、椅子座席部下部平面に設けられたダルマ穴ピンを挿入し前後方向に移動して固定するものである。ダルマ穴にダルマ穴ピンを引っ掛ける方法であり通常の反対である。その為の手段としてダルマ穴ピンの先を細くとがらせる事によりダルマ穴に案内されて簡単に脱着可能にすることが出来て前後方向に移動させる事により上下運動が不可能となる。その後ロックピン穴にロックピンを挿入し前後方向の運動を不可能とした結合具を設けた事を特徴とした介助運搬車である。【０００７】  本専用バケットは、運搬車荷台枠上の平らな面を有効に使うために、専用バケットの底面の平らな部分を大きくし前後左右の傾斜部を少なくした事を特徴として、底面には水が溜まった時のために水抜き穴を設けたものである。さらに専用バケット前部に２本の固定フックを設ける。運搬車の前方に設けた台車前バケット保持枠の台車前保持枠フックを下より掛けてバケットの前部を固定する。専用バケットの後部は、台車後バケット保持枠に台車後バケット保持枠穴を設ける。ここに、専用バケット補強板により補強された専用バケット保持穴を設けられた１個の穴に１本の根角ボルト及び蝶ナットで固定する。このように２本のフックと１本の根角ボルトにより簡単に運搬車枠上に脱着固定し得る結合具を特徴とした介助運搬車である。【０００８】  運搬車の荷台枠上には、椅子座席部を脱着可能にすることが出来て脱着固定し得るダルマ穴とロックピン穴が設けられている。
左側通行を考えて人間の向きを左側に考えた時に、椅子座席部を左向き取り付けられるようにした。しかし、右向きの時も考えられるのでダルマ穴の向きを反対向きにも設置することを考えて、運搬車枠上のダルマ穴を２方向設け、ロックピン穴も同様に設けた事を特徴とし簡単に運搬車枠上に脱着固定し得る結合具を特徴とした介助運搬車である。
【発明の効果】
【０００９】  本発明は、災害時及び緊急時にお年寄り・目の不自由な方・歩行困難な方々が急いで避難及び移動しなければならない時に、その方々の搬送介助を可能にした介助運搬車である。足部と座席部を脱着可能にし、脱着固定し得る結合具を特徴とした椅子である。底の平面部を広くし、水抜き穴を設け前後左右を斜面で構成される専用バケットである。この椅子座席部と専用バケットを必要に応じて簡単に脱着可能にして止着固定出来る事を特徴としている。椅子は本来足部と座席部が固定されて椅子として活用がされている。
専用バケットは運搬車の平らな荷台枠上に設置されて、農作業・土木作業等に物の運搬に使用される。また、運搬車の平らな荷台枠上には市販のコンテナー等を乗せて色々な作業に利用することを特徴としている。
手押し運搬車であるが引っ張って用いることも考えられるので、押しても引っ張っても正逆回転をする車輪を設けて走行を可能にした事を特徴としている。
災害等が発生し、お年寄り・目の不自由な方・歩行困難な方々が急いで避難及び移動しなければならない時に、専用バケットを椅子座席部と交換して、搬送介助を行う事で生命を守る事を可能にしたことを特徴としている。また、専用バケットと座席部の交換において工具等の作業用品を必要としないので誰でも簡単に行える事を特徴として、手押しタイプの運搬車は軽く運搬が可能であるので、子供や女性及びお年寄りの方々でも簡単に搬送介助できる事を特徴とした介助運搬車である。
【図面の簡単な説明】
【００１０】
【図１】本発明の椅子座席部と運搬車の合体斜視図である。
【図２】本発明の椅子の椅子足部と椅子座席部の合体した（ａ）正面図及び（ｂ）左側面図である。
【図３】本発明の椅子座席部の（ａ）正面図・（ｂ）下面図・（ｃ）左側面図及び（ｄ）ダルマ穴ピン（７）の拡大図である。
【図４】本発明の椅子足部の（ａ）正面図・（ｂ）平面図・（ｃ）左側面図及（ｄ）ダルマ穴（６）とロックピン穴（８）の拡大図である。
【図５】本発明の運搬車の（ａ）正面図と（ｂ）平面図である。
【図６】本発明の専用バケットと運搬車の合体した正面図である。
【図７】本発明の専用バケットの（ａ）正面図及び（ｂ）平面図である。
【発明を実施するための形態】
【００１１】以下、本発明の形態について説明する。
（イ）椅子座席部（３）の下部平面（２８）にダルマ穴ピン（７）及びロックピン穴          （８）を設け、椅子足部（２）上面にダルマ穴（６）及びロックピン穴（８）          を設け、ロックピン（１）にて脱着固定出来る椅子である。
（ロ）椅子座席部（３）にシートベルト（４）及び跳ね上げ式足置き（５）を設けて          、着座する人の安定・安心・安全を確保できる椅子である。
（ハ）椅子座席部（３）のシートベルト（４）は人の体型に対して伸縮自在に調整が          可能であり、跳ね上げ式足置き（５）は、回転し水平及び垂直に位置すること          が出来る事により足を置く時には水平にして、使用しない時には垂直の位置に          して邪魔にならないようにする。
（ニ）運搬車（１５）の荷台枠上（１６）に椅子足部（２）上面のダルマ穴（６）及          びロックピン穴（８）と同形状の椅子席部の右側取り付けダルマ穴（２３）と          椅子座席部の左側取り付けダルマ穴（２４）椅子座席部の右側取り付けロック          ピン穴（２５）椅子座席部の左側取り付けロックピン穴（２６）を設けて、ロ          ックピン（１）にて椅子座席部（３）を荷台枠上（１６）の左右どちらか方向          に脱着出来る。
運搬車（１５）の車輪（２２）は、各々が独立して正逆転自在な車輪であり、          運搬時には手押しハンドル（２０）にて持ち上げて運搬行い、運搬車（１５）          置く時にはスタンド（２１）にて安定した設置が可能である。
（ホ）専用バケット（９）は、専用バケット固定フック（１０）を台車前バケット保          持枠（１７）の下より掛け、専用バケットボルト穴（１４）に根角ボルトと蝶          ナットを利用して台車後バケット保持枠穴（１９）に装着する。さらに専用バ          ケット固定突起（２７）により運搬車（１５）の荷台枠上（１６）の左右方向          に固定が出来る。
【００１２】本発明は以上のような構成である。
本発明は、３通りの搬送利用方法が有る。
（ア）本発明を利用するときは、運搬車（１５）の荷台枠上（１６）に椅子座席部（３）      を取り付けて人を搬送することが出来る。
（イ）本発明を利用するときは、運搬車（１５）の荷台枠上（１６）に専用バケット（９      ）を取り付けて土砂・農産物・コンテナー等の物の搬送が出来る。
（ウ）本発明を利用するときは、運搬車（１５）の荷台枠上（１６）に椅子座席部（３）      及び専用バケット（９）を取り付けなければ市販のコンテナー等を利用した搬送が      出来る。
【００１３】通常時は、専用バケット（９）を取り付けて土砂・農産物等の運搬を行う。また、専用バケット（９）を取り付けなければ荷台枠上（１６）に市販のコンテナー等の積搬送も可能である。そして、災害等が発生し時に老人・目の不自由な方々等で緊急歩行が困難な時に、椅子座席部（３）を取り付けて人の搬送を行うことが出来る。
椅子は、椅子座席部（３）と椅子足部（２）で構成されて、ダルマ穴（６）ダルマ穴ピン（７）ロックピン穴（８）ロックピン（１）で脱着固定出来る。固定はロックピン（１）１本で簡単に出来るために緊急時にはロックピン（１）１本を外すことで分解することが出来る。運搬車（１５）への装着には、椅子座席部の右側取り付けダルマ穴（２３）及び椅子座席部の左側取り付けダルマ穴（２４）のどちらかに、椅子座席部（３）の下部平面（２８）にあるダルマ穴ピン（７）のとがった先端を案内として入れ前後方向に移動させ、椅子座席部（３）を椅子座席部の右側取り付けロックピン穴（２５）及び椅子座席部の左側取り付けロックピン穴（２６）のどちらかに設置しロックピン（１）を挿入し固定する。
【００１４】椅子座席部（３）の左右への取り付けは、その時の交通ルール・人の変化及び環境に応じて自由に選択することが可能である。また、運搬車（１５）の荷台枠上（１６）に椅子座席部（３）の脱着は、ロックピン（１）一本で行える。また、専用バケット（９）の脱着は、根角ボトと蝶ナットを利用する。これにより椅子座席部（３）及び専用バケット（９）はドライバー及びスパナ等の工具を一切利用することなく脱着できるので緊時の対応が安心して楽に行える。
緊急時に老人・目の不自由な方々等で緊急歩行が困難な人々のために常備しておくための助運搬車であるが、椅子座席部（３）を取り付けないで、専用バケット（９）取り付けもしくは取り付けなければ農作業・土木作業・学校行事・町内会行事等に幅広く利用できる介助搬車である。
【符号の説明】
【００１５】    １  ロックピン
２  椅子足部
３  椅子座席部
４  シートベルト
５  跳ね上げ式足置き
６  ダルマ穴
７  ダルマ穴ピン
８  ロックピン穴
９  専用バケット
１０  専用バケット固定フック
１１  専用バケット底面
１２  専用バケット水抜き穴
１３  専用バケット補強板
１４  専用バケットボルト穴
１５  運搬車
１６  荷台枠上
１７  台車前バケット保持枠
１８  台車後バケット保持枠
１９  台車後バケット保持枠穴
２０  手押しハンドル
２１  スタンド
２２  車輪
２３  椅子座席部の右側取り付けダルマ穴
２４  椅子座席部の左側取り付けダルマ穴
２５  椅子座席部の右側取り付けロックピン穴
２６  椅子座席部の左側取り付けロックピン穴
２７  専用バケット固定突起
２８  下部平面
２９  上面
【図１】
2019018834.tif 000003
【図２】
2019018834.tif 000004
【図３】
2019018834.tif 000005
【図４】
2019018834.tif 000006
【図５】
2019018834.tif 000007
【図６】
2019018834.tif 000008
【図７】
2019018834.tif 000009